【事件の表示】
　特願２０１７−１１３６０２「撮像装置、情報取得システム、情報検索サーバ、及びプログラム」拒絶査定不服審判事件〔平成２９年１１月　２日出願公開、特開２０１７−２００２０８〕について、次のとおり審決する。
【結　論】
　本件審判の請求は、成り立たない。
【理　由】
第１　経緯
１　経緯
　本件出願は、２０１１年（平成２３年）２月７日（優先権主張２０１０年２月８日、日本国）を国際出願日とする出願である特願２０１１−５５２８５３号の一部を平成２８年５月１２日に新たな特許出願とした特願２０１６−９５９８５号の一部を、更に平成２９年６月８日に新たな特許出願としたものであって、その手続の経緯は、以下のとおりである。
　　
　平成３０年　２月１９日：手続補正
　平成３０年　３月２８日：拒絶理由の通知
　平成３０年　６月　１日：手続補正・意見書
　平成３０年１１月２８日：拒絶査定
　平成３０年１２月　４日：拒絶査定の謄本の送達
　平成３１年　２月２８日：拒絶査定不服審判の請求
　平成３１年　２月２８日：手続補正
　　
２　査定の概要
　原査定の理由は、概略、次のとおりである。
　なお、平成３０年６月１日付け手続補正においては、請求項２２は補正されていない。
　　
［査定の理由］
　平成３０年２月１９日付け手続補正書でした補正（請求項２２）は、願書に最初に添付した明細書、特許請求の範囲又は図面に記載した事項の範囲内においてしたものでないから、特許法第１７条の２第３項に規定する要件を満たしていない。
　　
第２　補正却下の決定
　平成３１年２月２８日付けの手続補正について次のとおり決定する。
 　 
［補正却下の決定の結論］
　平成３１年２月２８日付けの手続補正を却下する。
　　
［理由］
１　補正の内容
　平成３１年２月２８日付けの手続補正（以下「本件補正」という。）は、特許請求の範囲についてする補正を含む補正である。
　　
　本件補正のうち、特許請求の範囲についてする補正は、
（補正前の請求項１〜２４）
「　【請求項１】
　被写体を撮像する撮像部と、
　前記被写体の画像データに基づいて前記被写体に関する情報を取得し、前記被写体の画像データと前記被写体に関する情報とを表示部に表示する制御部と、
　ユーザアクションに基づきホールド制御信号を前記制御部に出力するホールド制御部と、を備え、
　前記表示部に表示される前記被写体に関する情報は、少なくとも１つの拡張現実のオブジェクトを含み、
　前記制御部は、前記ホールド制御信号を受信した場合、前記ユーザアクションの時に前記表示部に表示されている前記被写体の画像データと前記少なくとも１つの拡張現実のオブジェクトとを前記ユーザアクションの完了後にも前記表示部に表示させる、
　撮像装置。
　　【請求項２】
　前記制御部は、前記ユーザアクションの時と前記ユーザアクションの完了後との間で、前記表示部に表示されている前記拡張現実の数が同じであるように、前記被写体の画像データと前記被写体に関する情報とを前記表示部に表示する請求項１に記載の撮像装置。
　　【請求項３】
　前記制御部は、前記表示部に対する前記被写体に関する情報の表示及び非表示を切り替え可能である請求項１又は請求項２に記載の撮像装置。
　　【請求項４】
　前記制御部は、前記被写体を撮像中において前記ホールド制御信号を受信した場合に、ホールドした前記被写体の画像データと前記被写体に関する情報とを前記表示部に表示する請求項１から請求項３のいずれか一項に記載の撮像装置。
　　【請求項５】
　前記制御部は、前記ホールド制御信号に基づいてホールドした前記被写体に関する情報と前記被写体の画像データとを他端末へ送信する請求項１から請求項４のいずれか一項に記載の撮像装置。
　　【請求項６】
　前記制御部は、前記ホールド制御信号を受信した場合に、前記被写体に関する情報を得たい方向に撮像方向を向けていない状態において、ホールドさせた前記被写体の画像データと前記被写体に関する情報とを前記表示部に表示する請求項１から請求項５のいずれか一項に記載の撮像装置。
　　【請求項７】
　前記ホールド制御部は、前記被写体の画像データと前記被写体に関する情報とホールドするタイミングを検出する請求項１から請求項６のいずれか一項に記載の撮像装置。
　　【請求項８】
　前記ホールド制御部は、前記撮像装置に対するモーション又は前記撮像装置のモーションによって出力される信号を検出し、前記ホールド制御信号を前記制御部に出力する請求項１から請求項７のいずれか一項に記載の撮像装置。
　　【請求項９】
　前記制御部は、ホールドさせた前記被写体の画像データに対する新たな前記被写体に関する情報を送信可能である請求項１から請求項８のいずれか一項に記載の撮像装置。
　　【請求項１０】
　ホールドした前記被写体の画像データに対応する前記被写体までの経路を案内するナビゲーション部を備える請求項１から請求項９のいずれか一項に記載の撮像装置。
　　【請求項１１】
　前記被写体の画像データと前記被写体に関する情報とを記憶する記憶部を備える請求項１から請求項１０のいずれか一項に記載の撮像装置。
　　【請求項１２】
　緯度経度情報を検出する緯度経度検出部と、
　建造物を撮像している方位角を検出する方位角検出部と、
　前記緯度経度情報における前記方位角の方向の緯度経度範囲に位置する建造物に関するＡＲ情報を、当該緯度経度情報及び当該方位角により取得し、表示部に表示する制御部と、
　前記ＡＲ情報を記憶部に記憶させるユーザアクションを検知すると、前記ＡＲ情報と前記建造物の画像データとを記憶部に記憶させるホールド制御信号を、前記制御部に対して出力するホールド制御部と、
　を備え、
　前記表示部に表示される前記ＡＲ情報は、少なくとも１つの拡張現実のオブジェクトを含み、
　前記制御部は、前記ホールド制御信号を受信した場合、前記ユーザアクションの時に前記表示部に表示されている前記画像データと前記少なくとも１つの拡張現実のオブジェクトとを前記ユーザアクションの完了後にも前記表示部に表示させる、
　撮像装置。
　　【請求項１３】
　前記制御部は、
　前記ホールド制御部から前記ホールド制御信号が入力されると、当該ホールド制御信号が入力された際に、前記画像データを撮像していた自身の位置の前記緯度経度情報及び前記方位角を、前記画像データを識別する画像識別情報を付加して前記記憶部に記憶させる請求項１２に記載の撮像装置。
　　【請求項１４】
　前記制御部は、
　前記ホールド制御部から前記ホールド制御信号が入力されると、当該ホールド制御信号が入力された際に、前記表示部に表示していた前記画像データ及び当該画像データに対応する前記ＡＲ情報を、当該画像データを識別する画像識別情報を付加して前記記憶部に記憶させる請求項１２記載の撮像装置。
　　【請求項１５】
　前記記憶部は、前記画像データ毎に
　前記画像データを識別する画像識別情報、画像データ内の建造物を識別する建造物識別情報、当該建造物識別情報の示す建造物の建造物情報、当該画像識別情報に付加されたユーザＩＤとから構成されている
　請求項１２から請求項１４のいずれか一項に記載の撮像装置。
　　【請求項１６】
　前記制御部は、前記記憶部から前記ＡＲ情報及び前記画像データを読み出して前記表示部に表示させる、
　請求項１２から請求項１５のいずれか一項に記載の撮像装置。
　　【請求項１７】
　前記制御部は、撮像状態において付加された前記ＡＲ情報を情報検索システムへ送信する請求項１２から請求項１６のいずれか一項に記載の撮像装置。
　　【請求項１８】
　撮像装置と情報検索システムとを備え、
　前記撮像装置は、請求項１から請求項１７のいずれか一項に記載の撮像装置である、
　情報取得システム。
　　【請求項１９】
　建造物と前記建造物に関するＡＲ情報とを対応させた建造物テーブルが記憶されたデータベースと、
　前記ＡＲ情報を受信し、前記建造物の画像データと前記ＡＲ情報とを表示部に表示する制御部と、ユーザアクションに基づきホールド制御信号を前記制御部に出力するホールド制御部と、を備え、前記表示部に表示される前記ＡＲ情報は、少なくとも１つの拡張現実のオブジェクトを含み、前記制御部は、前記ホールド制御信号を受信した場合、前記ユーザアクションの時に前記表示部に表示されている前記建造物の画像データと前記拡張現実のオブジェクトとを前記ユーザアクションの完了後にも前記表示部に表示させる、撮像装置から送信された前記撮像装置の位置の緯度経度情報と前記画像データを撮像している方位角とにより、当該緯度経度情報における当該方位角の方向の緯度経度範囲に位置する建造物に関する前記ＡＲ情報を前記建造物テーブルから読み出し、読み出した前記ＡＲ情報を前記撮像装置に送信する、
　情報検索サーバ。
　　【請求項２０】
　前記建造物に対する新たな前記ＡＲ情報を前記データベースに書き込み可能である請求項１９に記載の情報検索サーバ。
　　【請求項２１】
　少なくとも１つの拡張現実のオブジェクトを含む被写体に関する情報を記憶するデータベースと、
　前記被写体の画像データに基づいて前記被写体に関する情報を受信し、前記被写体の画像データと前記被写体に関する情報とを表示部に表示させる制御部と、ユーザアクションに基づきホールド制御信号を前記制御部に出力するホールド制御部と、を備え、前記制御部は、前記ホールド制御信号を受信した場合、前記ユーザアクションの時に前記表示部に表示されている前記被写体の画像データと前記拡張現実のオブジェクトとを前記ユーザアクションの完了後にも前記表示部に表示させる、撮像装置から送信された前記被写体の画像データにより、前記被写体に関する情報を前記データベースから取得して前記被写体に関する情報を前記撮像装置に送信する、
　情報検索サーバ。
　　【請求項２２】
　表示部と、
　被写体を撮像する撮像部と、
　前記撮像部が撮像した前記被写体の画像データに基づいて前記被写体に関する情報を取得して、前記被写体の画像データと前記被写体に関する情報とを前記表示部に表示する制御部と、
　前記被写体の画像データと前記被写体に関する情報とを前記表示部にホールドするホールド制御信号を前記制御部に出力するホールド制御部と、
　を備える撮像装置。
　　【請求項２３】
　撮像装置の機能をコンピュータに実行させるためのプログラムであり、
　被写体の画像データを入力するステップと、
　前記被写体の画像データに基づいて、少なくとも１つの拡張現実のオブジェクトを含む前記被写体に関する情報を取得するステップと、
　前記被写体の画像データと前記被写体に関する情報とを表示部に表示するステップと、
　ユーザアクションに基づき前記被写体の画像データと前記被写体に関する情報とをホールドするホールド制御信号を制御部に出力するステップと、
　前記ホールド制御信号を受信した場合、前記ユーザアクションの時に前記表示部に表示されている前記被写体の画像データと前記少なくとも１つの拡張現実のオブジェクトとを前記ユーザアクションの完了後にも前記表示部に表示させるステップと、
　をコンピュータに実行させるためのプログラム。
　　【請求項２４】
　撮像装置の機能をコンピュータに実行させるためのプログラムであり、
　緯度経度情報を入力するステップと、
　建造物を撮像している方位角を入力するステップと、
　前記緯度経度情報における前記方位角の方向の緯度経度範囲に位置する建造物に関するＡＲ情報を、当該緯度経度情報及び当該方位角により取得し、表示部に表示するステップと、
　前記ＡＲ情報を記憶部に記憶させるユーザアクションを検知すると、前記ＡＲ情報と前記建造物の画像データとを前記記憶部に記憶させるホールド制御信号を、制御部に対して出力するステップと、
　前記ホールド制御信号を受信した場合、前記ユーザアクションの時に前記表示部に表示されている前記画像データと少なくとも１つの拡張現実のオブジェクトとを前記ユーザアクションの完了後にも前記表示部に表示させるステップと、
　をコンピュータに実行させるためのプログラム。」
　　
を、次のとおり補正後の請求項１〜２３に補正するものである（下線は補正箇所である。）。
　　
（補正後の請求項１〜２３）
「　【請求項１】
　被写体を撮像する撮像部と、
　前記被写体の画像データに基づいて前記被写体に関する情報を取得し、前記被写体の画像データと前記被写体に関する情報とを表示部に表示する制御部と、
　
前記被写体の画像データと前記被写体に関する情報とを前記表示部に表示中における
　前記表示部に表示される前記被写体に関する情報は、少なくとも１つの拡張現実のオブジェクトを含み、
　
前記ホールド制御信号とは、前記ユーザアクションの時に前記表示部に表示されている前記被写体の画像データと前記少なくとも１つの拡張現実のオブジェクトとを前記制御部によりホールドさせるとともに前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号である、
　撮像装置。
　　【請求項２】
　前記制御部は、前記ユーザアクションの時と前記ユーザアクションの完了後との間で、前記表示部に表示されている前記拡張現実の数が同じであるように、前記被写体の画像データと前記被写体に関する情報とを前記表示部に表示する請求項１に記載の撮像装置。
　　【請求項３】
　前記制御部は、前記表示部に対する前記被写体に関する情報の表示及び非表示を切り替え可能である請求項１又は請求項２に記載の撮像装置。
　　【請求項４】
　前記制御部は、前記被写体を撮像中において前記ホールド制御信号を受信した場合に、
前記
前記ホールドした前記少なくとも１つの拡張現実のオブジェクト
　　【請求項５】
　前記制御部は、前記ホールド制御信号に基づいて
前記
前記少なくとも１つの拡張現実のオブジェクト
前記ホールドした
　　【請求項６】
　前記制御部は、前記ホールド制御信号を受信した場合に、前記被写体に関する情報を得たい方向に撮像方向を向けていない状態において、
前記
前記ホールドさせた前記少なくとも１つの拡張現実のオブジェクト
　　【請求項７】
　前記ホールド制御部は、前記被写体の画像データと
前記少なくとも１つの拡張現実のオブジェクト
　　【請求項８】
　前記ホールド制御部は、前記撮像装置に対するモーション又は前記撮像装置のモーションによって出力される信号を検出し、前記ホールド制御信号を前記制御部に出力する請求項１から請求項７のいずれか一項に記載の撮像装置。
　　【請求項９】
　前記制御部は、
前記
　　【請求項１０】
　
前記
　　【請求項１１】
　前記被写体の画像データと前記被写体に関する情報とを記憶する記憶部を備える請求項１から請求項１０のいずれか一項に記載の撮像装置。
　　【請求項１２】
　緯度経度情報を検出する緯度経度検出部と、
　建造物を撮像している方位角を検出する方位角検出部と、
　前記緯度経度情報における前記方位角の方向の緯度経度範囲に位置する建造物に関するＡＲ情報を、当該緯度経度情報及び当該方位角により取得し、表示部に表示する制御部と、
　前記ＡＲ情報を記憶部に記憶させるユーザアクションを検知すると、前記ＡＲ情報と前記建造物の画像データとを記憶部に記憶させるホールド制御信号を、前記制御部に対して出力するホールド制御部と、
　を備え、
　前記表示部に表示される前記ＡＲ情報は、少なくとも１つの拡張現実のオブジェクトを含み、
　
前記ホールド制御信号とは、前記ユーザアクションを検知すると、前記ＡＲ情報と前記建造物の画像データとを前記記憶部に記憶させ、前記ユーザアクションの時に前記表示部に表示されている前記建造物の画像データと前記少なくとも１つの拡張現実のオブジェクトとを前記制御部によりホールドさせるとともに前記ユーザアクションに基づいて前記ホールド制御信号が出力された後にも前記ホールドされた前記建造物の画像データと前記ホールドされた前記少なくとも１つの拡張現実のオブジェクトとを前記制御部により前記表示部に表示させる信号である、
　撮像装置。
　　【請求項１３】
　前記制御部は、
　前記ホールド制御部から前記ホールド制御信号が入力されると、当該ホールド制御信号が入力された際に、前記画像データを撮像していた自身の位置の前記緯度経度情報及び前記方位角を、前記画像データを識別する画像識別情報を付加して前記記憶部に記憶させる請求項１２に記載の撮像装置。
　　【請求項１４】
　前記制御部は、
　前記ホールド制御部から前記ホールド制御信号が入力されると、当該ホールド制御信号が入力された際に、前記表示部に表示していた前記画像データ及び当該画像データに対応する前記ＡＲ情報を、当該画像データを識別する画像識別情報を付加して前記記憶部に記憶させる請求項１２記載の撮像装置。
　　【請求項１５】
　前記記憶部は、前記画像データ毎に
　前記画像データを識別する画像識別情報、
前記
　請求項１２から請求項１４のいずれか一項に記載の撮像装置。
　　【請求項１６】
　前記制御部は、前記記憶部から前記ＡＲ情報及び前記画像データを読み出して前記表示部に表示させる、
　請求項１２から請求項１５のいずれか一項に記載の撮像装置。
　　【請求項１７】
　前記制御部は、撮像状態において付加された前記ＡＲ情報を情報検索システムへ送信する請求項１２から請求項１６のいずれか一項に記載の撮像装置。
　　【請求項１８】
　撮像装置と情報検索システムとを備え、
　前記撮像装置は、請求項１から請求項１７のいずれか一項に記載の撮像装置である、
　情報取得システム。
　　【請求項１９】
　建造物と前記建造物に関する
少なくとも１つの拡張現実のオブジェクトを含む
を備え
　前記ＡＲ情報を受信し、前記建造物の画像データと前記ＡＲ情報とを表示部に表示する制御部と、ユーザアクションに基づきホールド制御信号を前記制御部に出力するホールド制御部と、を備え
る、
し
　
前記ホールド制御信号とは、前記ユーザアクションを検知すると、前記ＡＲ情報と前記建造物の画像データとを前記データベースに記憶させ、前記ユーザアクションの時に前記表示部に表示されている前記建造物の画像データと前記少なくとも１つの拡張現実のオブジェクトとを前記制御部によりホールドさせるとともに前記ユーザアクションに基づいて前記ホールド制御信号が出力された後にも前記ホールドされた前記建造物の画像データと前記ホールドされた前記少なくとも１つの拡張現実のオブジェクトとを前記制御部により前記表示部に表示させる信号である、
　情報検索サーバ。
　　【請求項２０】
　前記建造物に対する新たな前記ＡＲ情報を前記データベースに書き込み可能である請求項１９に記載の情報検索サーバ。
　　【請求項２１】
　少なくとも１つの拡張現実のオブジェクトを含む被写体に関する情報を記憶するデータベース
を備え、
　前記被写体の画像データに基づいて前記被写体に関する情報を受信し、前記被写体の画像データと前記被写体に関する情報とを表示部に表示させる制御部と、
前記被写体の画像データと前記被写体に関する情報とを前記表示部に表示中における
る、
し
　
前記ホールド制御信号とは、前記ユーザアクションの時に前記表示部に表示されている前記被写体の画像データと前記少なくとも１つの拡張現実のオブジェクトとを前記制御部によりホールドさせるとともに前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号である、
　情報検索サーバ。
　　【請求項２２】
　撮像装置の機能をコンピュータに実行させるためのプログラムであり、
　被写体の画像データを入力するステップと、
　前記被写体の画像データに基づい
て前
　前記被写体の画像データと前記被写体に関する情報とを表示部に表示するステップと、
　
前記被写体の画像データと前記被写体に関する情報とを前記表示部に表示中における
きホ
　をコンピュータに実行さ
せ、
　
前記表示部に表示される前記被写体に関する情報は、少なくとも１つの拡張現実のオブジェクトを含み、
　
前記ホールド制御信号とは、前記ユーザアクションの時に前記表示部に表示されている前記被写体の画像データと前記少なくとも１つの拡張現実のオブジェクトとを前記制御部によりホールドさせるとともに前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号である、
　
プログラム。
　　【請求項２３】
　撮像装置の機能をコンピュータに実行させるためのプログラムであり、
　緯度経度情報を入力するステップと、
　建造物を撮像している方位角を入力するステップと、
　前記緯度経度情報における前記方位角の方向の緯度経度範囲に位置する建造物に関するＡＲ情報を、当該緯度経度情報及び当該方位角により取得し、表示部に表示するステップと、
　前記ＡＲ情報を記憶部に記憶させるユーザアクションを検知すると、前記ＡＲ情報と前記建造物の画像データとを前記記憶部に記憶させるホールド制御信号を、制御部に対して出力するステップと、
　をコンピュータに実行さ
せ、
　
前記ホールド制御信号とは、前記ユーザアクションを検知すると、前記ＡＲ情報と前記建造物の画像データとを前記記憶部に記憶させ、前記ユーザアクションの時に前記表示部に表示されている前記建造物の画像データと前記ＡＲ情報とを前記制御部によりホールドさせるとともに前記ユーザアクションに基づいて前記ホールド制御信号が出力された後にも前記ホールドされた前記建造物の画像データと前記ホールドされた前記ＡＲ情報とを前記制御部により前記表示部に表示させる信号である、
　
プログラム。
　　
２　新規事項
（１）補正後の請求項１における「
前記ホールド制御信号とは、前記ユーザアクションの時に前記表示部に表示されている前記被写体の画像データと前記少なくとも１つの拡張現実のオブジェクトとを前記制御部によりホールドさせるとともに前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号である
　詳細は、以下のとおりである。
　　
（２）補正後の請求項１を分説すると次のとおりである。以下各構成要件を「構成要件Ａ」〜「構成要件Ｆ」という。
　　
「　【請求項１】
（Ａ）被写体を撮像する撮像部と、
（Ｂ）前記被写体の画像データに基づいて前記被写体に関する情報を取得し、前記被写体の画像データと前記被写体に関する情報とを表示部に表示する制御部と、
（Ｃ）前記被写体の画像データと前記被写体に関する情報とを前記表示部に表示中におけるユーザアクションに基づきホールド制御信号を前記制御部に出力するホールド制御部と、を備え、
（Ｄ）前記表示部に表示される前記被写体に関する情報は、少なくとも１つの拡張現実のオブジェクトを含み、
（Ｅ）前記ホールド制御信号とは、
　（Ｅ-1）前記ユーザアクションの時に前記表示部に表示されている前記被写体の画像データと前記少なくとも１つの拡張現実のオブジェクトとを前記制御部によりホールドさせるとともに
　（Ｅ-2）前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる
（Ｅ）信号である、
（Ｆ）撮像装置。」
　　
（３）請求人は、請求項１の補正の根拠として、当初明細書の段落【００７１】〜【００７８】の記載等を挙げる（審判請求書の「３．本願発明が特許されるべき理由」の「（Ａ）補正の根拠の明示」「（Ａ−１）：請求項１について」）。
　　
（４）当初明細書の段落【００７１】〜【００７８】及び【００７９】の記載は次のとおりである。
　　
「【００７１】
　これにより、制御部１１は、デジタルカメラ１の緯度経度情報に基づく座標値に対し、ＡＲ情報に含まれる緯度経度情報の示す緯度経度情報に基づく座標値に合わせ、画像データ（スルー画像）にこのＡＲ情報のタグ（拡張現実のオブジェクト）の画像を重ね合わせて合成し、表示部１７に図１０に示す状態にて表示する。
　また、制御部１１は、ホールド制御部３１からホールド制御信号を受信すると、ホールドされた際の緯度経度情報、方位情報及び画角情報と、ＡＲ情報取得要求にて情報検索システム２から送信されるＡＲ情報及びこのＡＲ情報の建造物を識別する建造物識別情報とを、ホールドした際の画像データの画像識別情報毎に、ＡＲ情報記憶部３０に対して記録する処理を行う。
　【００７２】
　図１１は、図９におけるＡＲ情報記憶部３０に記憶されるＡＲ情報テーブルの構成を示す図である。ＡＲ情報テーブルは、画像識別情報毎にＡＲ情報記憶部３０に記憶されている。
　制御部１１は、上述したように画像識別情報毎に生成され、建造物識別情報（建造物のＡＲ情報が記憶されている場所を示すＵＲＬ）と、この建造物のＡＲ情報（緯度経度情報を含む）と、ホールド制御信号が入力されてホールドされた際のデジタルカメラ１自身の緯度経度情報、方位情報及び画角情報とを、ＡＲ情報記憶部３０に対してＡＲ情報テーブルとして書き込み記憶する。
　また、制御部１１は、ホールド制御信号が入力されると、その時点において撮像部１３の撮像素子に結像されている画像データを、この画像データに付与した画像識別情報に対応させて記憶部１５に書き込んで記憶させる。
　【００７３】
　ここで、ＡＲ情報のホールドを指示するための入力のアクションとして、ホールド制御部３１は、例えば、デジタルカメラ１の筐体に設けられたＡＲ情報取得ボタンＡＲＢ１が押下によるスイッチからの信号を検出する検出手段、あるいは表示部１７に表示されたＡＲ情報取得を示すアイコン（ＡＲ情報取得アイコンＡＲＩ１）がタッチされたことをタッチセンサが検出する検出手段、などを有している。
　そして、ホールド制御部３１は、ＡＲ情報取得ボタンが押下された場合、あるいはＡＲ情報取得を示すアイコンがタッチされた場合、画像データとＡＲ情報とを記録する信号が入力されたことを検出し、制御部１に対してホールド制御を行うホールド制御信号を出力する。このように、ホールド制御部３１は、ユーザのデジタルカメラ１に対するモーション（アクション、操作、動作）によって、画像データとＡＲ情報とを記録する信号が入力されたことを検出し、制御部１に対してホールド制御を行うホールド制御信号を出力する。
　【００７４】
　また、ホールド制御部３１は、例えば、ＡＲ情報をホールドするアクションとして、加速度センサにより急激にデジタルカメラ１が移動（画面を見やすいようにデジタルカメラ１を下に向けた、振ったなどの動作）させられたことを検出して、この検出タイミングをホールドのタイミングとするように構成しても良い。
　上記加速度センサを用いた加速度検出において、ホールド制御部３１は、予め設定された閾値以上の加速度データが加速度センサから供給されると、ホールド指示の制御信号として、ホールド制御信号を制御部１１に対して出力する。このように、ホールド制御部３１は、端末（例、デジタルカメラ１）のモーションによって、画像データとＡＲ情報とを記録する信号が入力されたことを検出し、制御部１に対してホールド制御を行うホールド制御信号を出力する。
　【００７５】
　また、ホールド制御部３１は、例えば、ＡＲ情報をホールドするアクションとして、画像の特徴点を検出してこの特徴点が予め設定した距離を、予め設定した検出範囲の時間内に移動したことにより検出したりあるいは、撮像素子の出力する画像データのコントラストが予め設定した差分を超えて変化したことにより、画像データにおける画像パターンの変化を検出して、この検出タイミングをホールドのタイミングとするように構成しても良い。
　上記画像パターンの変化の検出において、ホールド制御部３１は、予め設定された閾値以上の画像パターンの変化を検出すると、ホールド制御を行う制御信号として、ホールド制御信号を制御部１１に対して出力する。
　【００７６】
　また、ホールド制御部３１は、例えば、ＡＲ情報をホールドするアクションとして、仰角センサを用いて急激にデジタルカメラ１の角度が変化（画面を見やすいように下に向けた、振ったなどの動作により移動）させられたことを検出して、この検出タイミングをホールドのタイミングとするように構成しても良い。
　上記仰角センサを用いた仰角情報の検出において、ホールド制御部３１は、予め設定された閾値以上の仰角変化が仰角センサから供給されると、ホールド制御を行う制御信号として、ホールド制御信号を制御部１１に対して出力する。このように、ホールド制御部３１は、端末（例、デジタルカメラ１）のモーションによって、画像データとＡＲ情報とを記録する信号が入力されたことを検出し、制御部１１に対してホールド制御を行うホールド制御信号を出力する。
　【００７７】
　また、制御部１１は、上述した加速度センサ、画像パターンの変化及び仰角センサを用いたホールドを指示するアクションの場合、ホールド制御信号を受信した際の画像データに対応するＡＲ情報を取得するため、ＡＲ情報取得要求毎に得られる画像データ及びこの画像データに対応する建造物識別情報と、この建造物のＡＲ情報、緯度経度情報、方位情報及び画角情報とを、所定の時間内、例えば１秒間、ＡＲ情報記憶部３０のバッファ部に記憶させる必要がある。
　このため、制御部１１は、ＡＲ情報取得要求に対応した、画像データ及びこの画像データに対応する建造物識別情報と、この建造物のＡＲ情報、緯度経度情報、方位情報及び画角情報とを、所定の時間内、例えば１秒間、ＡＲ情報記憶部３０のバッファ部に書き込み記憶させる（キャッシュする）。
　【００７８】
　そして、制御部１１は、ホールド制御信号が入力されると、ホールド制御信号を受信する直前、あるいは予め設定している時間前のＡＲ情報取得要求の際に、情報検索システム２から得られてバッファ部に記憶されている、画像識別情報に対応したＡＲ情報取得要求毎に得られる画像データ及びこの画像データに対応する建造物識別情報と、この建造物のＡＲ情報、緯度経度情報、方位情報及び画角情報とを、ＡＲ情報記憶部３０に対し、時刻情報を付加したＡＲ情報テーブルとして書き込んで記憶する。
　また、制御部１１は、画像データを記憶部１５に、この画像識別情報とともに書き込んで記憶させる。
　また、制御部１１及びホールド制御部３１は、ＡＲ表示を非表示とする非表示モードに設定されていても、ＡＲ情報の取得あるいはＡＲ情報のホールド処理を行うように構成しても良い。」
　
「【００７９】
　上述した処理により、制御部１１は、ホールドさせた画像のＡＲ情報を表示する場合に、デジタルカメラ１の筐体に設けられているＡＲ表示確認のボタン（ＡＲ切り替えボタンＡＲＢ２）の押下に基づく指示信号、あるいは表示部１７に表示されているＡＲ表示確認のアイコン（ＡＲ切り替えボタンＡＲＩ２）のタッチに基づく指示信号により、ＡＲ情報記憶部３０に記憶されているＡＲ情報テーブルからの時刻情報と内部の時計の時刻とを比較し、ＡＲ情報記憶部１５から最新の時刻のＡＲ情報テーブルを選択して読み出し、情報検索システム２から送信された際と同様に、表示部１７に画像データをＡＲ情報のタグとともに表示する。なお、制御部１１は、上記最新の時刻のＡＲ情報テーブルを定期的に情報検索サーバ２１から取得してもよいし、上記最新の時刻のＡＲ情報テーブルを上記指示信号に基づき情報検索サーバ２１から取得してもよい。また、制御部１１は、ＡＲ情報取得モードの場合、ホールドさせた時のホールド制御信号を受信することによって、ホールドさせた画像のＡＲ情報を表示させるようにしてもよい。」
　　
（５）当初明細書の段落【００７３】〜【００７８】には、ホールド制御部３１は、「アクション」を検出してＡＲ情報をホールドする「ホールド制御信号」を出力することが記載されている。
　そして、当初明細書の段落【００７１】には、「制御部１１は、ホールド制御部３１からホールド制御信号を受信すると、ホールドされた際の緯度経度情報、方位情報及び画角情報と、ＡＲ情報取得要求にて情報検索システム２から送信されるＡＲ情報及びこのＡＲ情報の建造物を識別する建造物識別情報とを、ホールドした際の画像データの画像識別情報毎に、ＡＲ情報記憶部３０に対して記録する処理を行う」こと、及び当初明細書の段落【００７２】には、「制御部１１は、ホールド制御信号が入力されると、その時点において撮像部１３の撮像素子に結像されている画像データを、この画像データに付与した画像識別情報に対応させて記憶部１５に書き込んで記憶させる」ことが記載されている。
　当初明細書の段落【００７１】及び【００７２】の当該記載によれば、当初明細書は、構成要件Ｅ及びＥ-1、すなわち、「前記ホールド制御信号とは、前記ユーザアクションの時に前記表示部に表示されている前記被写体の画像データと前記少なくとも１つの拡張現実のオブジェクトとを前記制御部によりホールドさせる信号」であることを開示しているといえる。
　しかしながら、構成要件Ｅ及びＥ-2、すなわち「前記ホールド制御信号とは、前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号」であることは、当初明細書の段落【００７１】〜【００７８】には記載されているとはいえない。
　　
（６）当初明細書の段落【００７９】には、制御部１１は、指示信号により、ホールドさせた画像のＡＲ情報を表示することが記載されている。
　ここで、当初明細書の段落【００７９】の「また、制御部１１は、ＡＲ情報取得モードの場合、ホールドさせた時のホールド制御信号を受信することによって、ホールドさせた画像のＡＲ情報を表示させるようにしてもよい。」の記載は、ホールドさせた画像のＡＲ情報を表示させることをいえるものの、ホールドさせた画像とホールドさせた画像のＡＲ情報を表示させることとはいえない。
　さらに、当初明細書の段落【００７９】の「ホールドさせた時のホールド制御信号」の「ホールドさせた時」は、過去にホールドした時のことを意味していると認められ、当初明細書の段落【００７９】の「ホールドさせた時のホールド制御信号を受信することによって」は、「ホールドさせた時のホールド制御信号」を受信するタイミングは明確でないものの、「前記ユーザアクションに基づいて前記ホールド制御信号が出力された後にも」というタイミングを意味しているものとはいえない。
　したがって、構成要件Ｅ及びＥ-2すなわち「前記ホールド制御信号とは、前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号」であることは、当初明細書の段落【００７９】にも記載されていない。
　　
（７）当初明細書の段落【００７１】〜【００７９】以外の当初明細書等をみても、構成要件Ｅ及びＥ-2すなわち「前記ホールド制御信号とは、前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号」であることが記載されているとは認められない。
　　
　そして、「前記ホールド制御信号とは、前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号」であることが、当初明細書等から自明であるとは認められない。
　　
（８）よって、本件補正により追加された「前記ホールド制御信号とは、前記ユーザアクションに基づいて前記ホールド制御信号が出力された後にも前記ホールドされた前記被写体の画像データと前記ホールドされた前記少なくとも１つの拡張現実のオブジェクトとを前記制御部により前記表示部に表示させる信号」であること（構成Ｅ及びＥ-2）は、当初明細書等には記載がなく、当初明細書等から自明でもないから、当初明細書等のすべての記載を総合することにより導かれる技術的事項との関係において、新たな技術的事項を導入するものである。
　　
　したがって、本件補正は、願書に最初に添付した明細書、特許請求の範囲又は図面に記載した事項の範囲内においてしたものでなく、特許法第１７条の２第３項の規定に違反している。 
 　 
３　まとめ 
　したがって、本件補正は、特許法第１７条の２第３項の規定に違反するので、同法第１５９条第１項において読み替えて準用する同法第５３条第１項の規定により却下すべきものである。 
　よって、補正却下の決定の結論のとおり決定する。
 　 
第３　本願発明について 
１　本願発明 
　平成３１年２月２８日付けの手続補正は、上記のとおり却下されたので、本願の請求項１〜２４に係る発明は、平成３０年６月１日付け手続補正により補正された特許請求の範囲の記載からみて、その特許請求の範囲の請求項１〜２４に記載した事項により特定されるとおりのものであるところ、請求項２２に係る発明（以下「本願発明」という。）は、以下のとおりのものである。
　当該請求項２２は、平成３０年６月１日付け手続補正により補正がなされておらず、平成３０年２月１９日付け手続補正による請求項２２と同じである。
　そして、平成３０年２月１９日付け手続補正は、平成３０年３月２８日付け拒絶理由において、特許法第１７条の２第３項に規定する要件を満たしていないとされ、上記第１の２のとおり平成３０年１１月２８日付けで拒絶査定されたものである。
　　
（本願発明）
「
表示部と、
　被写体を撮像する撮像部と、
　前記撮像部が撮像した前記被写体の画像データに基づいて前記被写体に関する情報を取得して、前記被写体の画像データと前記被写体に関する情報とを
前記
　前記被写体の画像データと前記被写体に関する情報とを
前記表示部に
　を備える撮像装置。」
　　
　なお、下線は、平成３０年２月１９日付け手続補正により補正された箇所である。
　　
２　新規事項
（１）「ホールド」に関し、当初明細書の段落【００６４】には、次の記載がある。
　
「ホールド制御部３１は、ＡＲ情報のホールドを要求するアクションを検出する。換言すると、ホールド制御部３１は、撮像部１３がＣＣＤ等の素子に結像して表示部１７に表示されている画像データと、この画像データ内にある（画像の画角内にある）ＡＲ情報とをＡＲ情報記憶部３０に記憶させるホールドのタイミングを検出する。なお、ＡＲ情報記憶部３０は、情報検索システム２に設ける構成としてもよい。」
　　
　また、当初明細書等の図９は次のとおりである。
「【図９】
」
　　
（２）当該記載から、「ホールド」とは、表示部に表示されている画像データと、この画像データ内にある（画像の画角内にある）ＡＲ情報とをＡＲ情報記憶部に記憶させることを意味していると解される。ここで、ＡＲ情報記憶部は、表示部とは異なる構成である（図９参照）。
　一方、「前記被写体の画像データと前記被写体に関する情報とを
前記表示部に
　当初明細書の段落【００６４】の記載を参酌すると、「前記被写体の画像データと前記被写体に関する情報とを前記表示部にホールドする」ことは、「前記被写体の画像データと前記被写体に関する情報とを前記表示部に」記憶することと解される。
　　
　そこで、「前記被写体の画像データと前記被写体に関する情報とを前記表示部に」記憶することが、当初明細書等に記載されているか検討するに、「前記被写体の画像データと前記被写体に関する情報とを前記表示部に」記憶することが、当初明細書等に記載されているとは認められない。
　　
（３）請求人は、平成３０年６月１日付け意見書の３．（１）において、「例えば、段落【００７６】には、ホールド制御部３１が、端末のモーションによって画像データとＡＲ情報とを記録する信号が入力されたことを検出し、制御部１１に対してホールド制御を行うホールド制御信号を出力することについて記載されています。また、段落【００７６】に記載された「画像データとＡＲ情報とを記録する信号」は、例えば、ＶＲＡＭ（Video　Random　Access　Memory）に画像データとＡＲ情報とを記録させる信号を含みます。そして、この場合、ホールド制御信号は、ＶＲＡＭに記憶された画像データとＡＲ情報とが表示された表示部１７に、当該画像データとＡＲ情報とを表示させたまま保持させる信号です。ホールド制御信号がこのように解釈されることは、本願の出願当初の明細書における「ホールド」又は「ホールドする」と記載された全ての箇所（例えば、段落【００７５】、段落【００７９】等）を矛盾なく説明できることからも自明であると思料します。」と主張している。
　しかしながら、ＶＲＡＭは、一般に表示部に表示するためのデータを記憶するものであって、ホールド制御信号により、ＶＲＡＭに記憶された画像データとＡＲ情報とを表示させたまま保持させるものではない。また、ホールド制御信号により、ＶＲＡＭに記憶された画像データとＡＲ情報とを表示させたまま保持させることは、当初明細書の段落【００７６】には記載されておらず、当初明細書の段落【００７６】以外の当初明細書等にも記載されていない。
　また、ホールド制御信号により、ＶＲＡＭに記憶された画像データとＡＲ情報とを表示させたまま保持させることが自明のこととも認めらない。
　したがって、請求人の主張は採用できない。
　　
（４）よって、平成３０年２月１９日付け手続補正により追加され、平成３０年６月１日付け手続補正よりそのまま補正されなかった請求項２２における「前記被写体の画像データと前記被写体に関する情報とを前記表示部にホールドするホールド制御信号」は、当初明細書等には記載がなく、当初明細書等から自明でもないから、当初明細書等のすべての記載を総合することにより導かれる技術的事項との関係において、新たな技術的事項を導入するものである。
　　
　したがって、平成３０年６月１日付け手続補正及び平成３０年２月１９日付け手続補正は、願書に最初に添付した明細書、特許請求の範囲又は図面に記載した事項の範囲内においてしたものでなく、特許法第１７条の２第３項の規定に違反している。 
　　
３　むすび 
　以上のとおり、本願の願書に添付した明細書、特許請求の範囲又は図面についてした補正が、特許法第１７条の２第３項に規定する要件を満たしていないため、本願は拒絶されるべきものである。
　　
　よって、結論のとおり審決する。